(57)【要約】      （修正有）【課題】使用者に開放感を与えつつ使用者のプライバシーを確保することができる家具を提供する。【解決手段】家具１０は、ベース２０と、ベースから上方に向かって延びる支柱３１、及び支柱に固定された天板３２を有するテーブル３０と、ベースに固定された椅子４０とを備えている。天板の周縁には、ベース上に植えられる樹木Ｔを逃がす第１凹部３３が設けられている。【選択図】図１
0003220727.tif 000002
【実用新案登録請求の範囲】
【請求項１】
ベースと、
前記ベースから上方に向かって延びる支柱、及び前記支柱に固定された天板を有するテーブルと、
前記ベースに固定された椅子と、を備え、
前記天板の周縁には、前記ベース上または前記ベースの周囲に植えられる樹木を逃がす凹部が設けられている、
家具。
【請求項２】
前記ベースには、前記椅子の座面よりも高さが低い足掛け面を有し、前記椅子への着座を補助するステップが設けられている、
請求項１に記載の家具。
【請求項３】
前記凹部を第１凹部とするとき、
前記天板の周縁における前記椅子の座面の直上には、当該椅子に着座する使用者の胴体を逃がす第２凹部が設けられている、
請求項１または請求項２に記載の家具。
【請求項４】
複数の前記第２凹部を備え、
隣り合う前記第２凹部同士の間に前記第１凹部が設けられている、
請求項３に記載の家具。
【考案の詳細な説明】
【技術分野】
【０００１】
本考案は、家具に関する。
【背景技術】
【０００２】
従来、オープンカフェやガーデンレストランなどの屋外空間には、テーブルや椅子などの家具が設置されている。こうした家具によれば、使用者に開放感を与えることができる。
【考案の概要】
【考案が解決しようとする課題】
【０００３】
ところで、こうした家具においては、使用者に開放感を与えることができる一方、使用者は外部の視線を感じやすく、使用者のプライバシーの確保が難しいものとなっている。
本考案の目的は、使用者に開放感を与えつつ使用者のプライバシーを確保することのできる家具を提供することにある。
【課題を解決するための手段】
【０００４】
上記目的を達成するための、家具は、ベースと、前記ベースから上方に向かって延びる支柱、及び前記支柱に固定された天板を有するテーブルと、前記ベースに固定された椅子と、を備え、前記天板の周縁には、前記ベース上または前記ベースの周囲に植えられる樹木を逃がす凹部が設けられている。
【０００５】
同構成によれば、天板の周縁に設けられた凹部によってベース上またはベースの周囲に植えられた樹木が逃がされる。このため、テーブルに対して樹木を近接して配置することができ、椅子に着座した使用者が樹木に囲まれるようになる。これにより、あたかも森の中にいるような開放感を使用者に与えることができる。また、こうした樹木によって外部の視線が遮られるようになる。このため、使用者のプライバシーを確保できる。したがって、使用者に開放感を与えつつ使用者のプライバシーを確保することができる。
【０００６】
上記家具において、前記ベースには、前記椅子の座面よりも高さが低い足掛け面を有し、前記椅子への着座を補助するステップが設けられている。
同構成によれば、使用者はステップの足掛け面に足を掛けることで、高い座面の椅子であっても昇降しやすくなる。このため、椅子の座面をより高い位置に設定することができる。また、椅子の座面が高くなるほど当該椅子に着座する使用者に外部からの視線が届きにくくなる。また、当該椅子に着座する使用者は周囲を見渡しやすくなる。
【０００７】
上記家具において、前記凹部を第１凹部とするとき、前記天板の周縁における前記椅子の座面の直上には、当該椅子に着座する使用者の胴体を逃がす第２凹部が設けられている。
【０００８】
同構成によれば、椅子に着座した使用者の胴体が第２凹部内に位置することとなり、使用者の腕の直下に天板が位置することとなる。このため、使用者は前傾姿勢をとらなくても天板に腕を置くことで楽な姿勢で過ごすことができる。
【０００９】
上記家具において、複数の前記第２凹部を備え、隣り合う前記第２凹部同士の間に前記第１凹部が設けられている。
同構成によれば、隣り合う使用者同士の間に樹木が配置されるようになる。このため、使用者に対して開放感を一層効果的に与えることができる。
【考案の効果】
【００１０】
本考案によれば、使用者に開放感を与えつつ使用者のプライバシーを確保することができる。
【図面の簡単な説明】
【００１１】
【図１】家具の一実施形態を示す斜視図。
【図２】同実施形態の家具の断面構造を示す断面図。
【図３】（ａ）〜（ｃ）は、同実施形態の椅子に使用者が着座する過程を順に示す側面図。
【図４】変更例の家具を示す斜視図。
【図５】他の変更例の家具を示す斜視図。
【図６】（ａ）、（ｂ）は、図５の家具における作用を説明する斜視図。
【考案を実施するための形態】
【００１２】
以下、図１〜図３を参照して、家具の一実施形態について説明する。
図１及び図２に示すように、家具１０は、屋外の地面Ｇに載置されるベース２０と、ベース２０に固定されたテーブル３０及び複数（本実施形態では３つ）の椅子４０とを備えている。
【００１３】
ベース２０は、上方に向けて開口するとともに土Ｓまたは砕石等を載置可能な椀状のベース本体２１を有している。ベース本体２１の外周面には、複数の支持突部２２が周方向に間隔をおいて設けられている。支持突部２２は、樹木Ｔの鉢として機能している。
【００１４】
ベース本体２１内には、テーブル３０及び椅子４０が固定された略円板状の連結部２３が設けられている。連結部２３の下面には、各支持突部２２に対応した位置に脚部２４が設けられている。各脚部２４が各支持突部２２内に進入して当接されることにより、連結部２３、テーブル３０、及び椅子４０がベース２０に対して固定されている。
【００１５】
テーブル３０は、連結部２３から斜め上方に向かって延びる複数（本実施形態では５本）の支柱３１、及び支柱３１の上端に固定された平面視星形の天板３２を有している。
各椅子４０は、連結部２３から上方に向かって延びる支軸４１と、支軸４１の上端に固定された円柱状の座部４２とを有している。本実施形態では、３つの椅子４０が、テーブル３０の支柱３１の外周を囲むように配置されている。また、各椅子４０の座部４２の上面である座面４２ａの高さは、互いに同一とされており、天板３２の下面よりも低い。
【００１６】
天板３２の周縁には、各支持突部２２に植えられる樹木Ｔを逃す３つの第１凹部３３と、各椅子４０の座面４２ａの直上に位置し、各椅子４０に着座する使用者Ｐの胴部を逃がす３つの第２凹部３４とが天板３２の周方向において交互に設けられている。すなわち、隣り合う第２凹部３４同士の間に第１凹部３３が設けられている。
【００１７】
ベース２０に固定された連結部２３には、各椅子４０への着座を補助する複数組（本実施形態では３組）のステップ５０が各椅子４０に対応した位置に設けられている。
各ステップ５０は、第１ステップ５１と、第１ステップ５１よりも高さの高い一対の第２ステップ５２とにより構成されている。
【００１８】
第１ステップ５１及び第２ステップ５２は、いずれも連結部２３から上方に向かって延びる支軸５４，５５と、支軸５４，５５の上端に固定された円板状の板部５７，５８とを有している。第１ステップ５１及び第２ステップ５２の板部５７，５８の上面である足掛け面５７ａ，５８ａの高さは、各椅子４０の座面４２ａよりも低い。また、第１ステップ５１の足掛け面５７ａの高さは、第２ステップ５２の足掛け面５８ａよりも低い。一対の第２ステップ５２は、対応する椅子４０とテーブル３０の支柱３１との間に設けられており、当該椅子４０に着座した使用者Ｐが足を置く足置き面としても機能する。
【００１９】
また、ベース２０には、地面Ｇと、ベース本体２１の上端またはベース本体２１内に載置された土Ｓの上面との間における使用者Ｐの昇降を補助する複数（本実施形態では３つ）の第３ステップ５３が各椅子４０の位置に対応して設けられている。各第３ステップ５３は、ベース本体２１の外周面から延びるとともに屈曲して上方に向けて延びる支軸５６と、支軸５６の先端に固定された円板状の板部５９とを有している。各第３ステップ５３の板部５９の上面である足掛け面５９ａの高さは、ベース本体２１の上端よりも低い。
【００２０】
次に、家具１０の椅子４０への着座方法の一例について説明する。
図３（ａ）に示すように、まず、使用者Ｐは、第３ステップ５３の足掛け面５９ａに右足Ｒを掛けて身体を持ち上げ、第１ステップ５１の足掛け面５７ａに左足Ｌを掛ける。
【００２１】
続いて、図３（ｂ）に示すように、テーブル３０の天板３２上に両手を添えながら、第１ステップ５１の足掛け面５７ａに掛けた左足Ｌを支点として、右足Ｒを第３ステップ５３から離し、第２ステップ５２の足掛け面５８ａに掛ける。このようにして使用者Ｐは、椅子４０に着座可能な位置へと昇ることができる。
【００２２】
図１及び図３（ｃ）に示すように、椅子４０に着座した使用者Ｐの胴体は、天板３２の第２凹部３４内に位置し、使用者Ｐの腕の直下に天板３２が位置することとなる。このため、使用者Ｐは前傾姿勢をとらなくても天板３２に腕を置くことができる。またこのとき、使用者Ｐは、第２ステップ５２の足掛け面５８ａを足置き面として使用することもできる。
【００２３】
なお、椅子４０から降りる際には、第２ステップ５２、第１ステップ５１、及び第３ステップ５３の順に足を掛けながら降りればよい。
次に、本実施形態の作用効果について説明する。
【００２４】
（１）家具１０は、ベース２０と、ベース２０から上方に向かって延びる支柱３１、及び支柱３１に固定された天板３２を有するテーブル３０と、ベース２０に固定された椅子４０とを備えている。天板３２の周縁には、ベース２０上に植えられる樹木Ｔを逃がす第１凹部３３が設けられている。
【００２５】
こうした構成によれば、天板３２の周縁に設けられた第１凹部３３によってベース２０上に植えられた樹木Ｔが逃がされる。このため、テーブル３０に対して樹木Ｔを近接して配置することができ、椅子４０に着座した使用者Ｐが樹木Ｔに囲まれるようになる。これにより、あたかも森の中にいるような開放感を使用者Ｐに与えることができる。また、こうした樹木Ｔによって外部の視線が遮られるようになる。このため、使用者Ｐのプライバシーを確保できる。したがって、使用者Ｐに開放感を与えつつ使用者Ｐのプライバシーを確保することができる。
【００２６】
また、上記構成によれば、テーブル３０に対して樹木Ｔを使用者Ｐに近接して配置することができるため、ベース２０の体格を小さくすることができる。したがって、限られた狭いスペースであっても、家具１０を設置することが可能となる。
【００２７】
（２）ベース２０には、椅子４０の座面４２ａよりも高さが低い足掛け面５７ａ，５８ａ，５９ａを有し、椅子４０への着座を補助するステップ５０が設けられている。
こうした構成によれば、使用者Ｐはステップ５０の足掛け面５７ａ，５８ａ，５９ａに足を掛けることで、高い座面４２ａの椅子４０であっても昇降しやすくなる。このため、椅子４０の座面４２ａをより高い位置に設定することができる。また、椅子４０の座面４２ａが高くなるほど椅子４０に着座する使用者Ｐに外部からの視線が届きにくくなる。また、椅子４０に着座する使用者Ｐは周囲を見渡しやすくなる。
【００２８】
（３）天板３２の周縁における椅子４０の座面４２ａの直上には、椅子４０に着座する使用者Ｐの胴体を逃がす第２凹部３４が設けられている。
こうした構成によれば、椅子４０に着座した使用者Ｐの胴体が第２凹部３４内に位置することとなり、使用者Ｐの腕の直下に天板３２が位置することとなる。このため、使用者Ｐは前傾姿勢をとらなくても天板３２に腕を置くことで楽な姿勢で過ごすことができる。
【００２９】
（４）複数の第２凹部３４を備えており、隣り合う第２凹部３４同士の間に第１凹部３３が設けられている。
こうした構成によれば、隣り合う使用者Ｐ同士の間に樹木Ｔが配置されるようになる。このため、使用者Ｐに対して開放感を一層効果的に与えることができる。
【００３０】
＜変更例＞
上記実施形態は、例えば以下のように変更することもできる。上記実施形態及び以下の変更例は、技術的に矛盾しない範囲で互いに組み合わせて実施することができる。
【００３１】
・上記家具１０は屋内に設置することもできる。
・ベース本体２１は平板状であってもよい。この場合、連結部２３を省略してベース本体２１にテーブル３０、椅子４０、及びステップ５０を固定すればよい。
【００３２】
・各椅子４０の座部４２の座面４２ａの高さを、互いに異ならせることもできる。
・例えば地面Ｇからベース本体２１の上端までの高さが低い場合などには、第３ステップ５３を省略することもできる。
【００３３】
・テーブル３０の天板３２の周縁は、隣り合う第２凹部３４同士の間に第１凹部３３が設けられる構成に限られない。例えば、隣り合う第２凹部３４同士の間に第１凹部３３が設けられない構成であってもよい。
【００３４】
・第１凹部３３及び第２凹部３４の数を適宜変更することもできる。また、第２凹部３４の数に応じて椅子４０の数を変更すればよい。
・第２凹部３４を省略することもできる。この場合、椅子４０をテーブル３０の天板３２から外周側に離間させればよい。
【００３５】
・椅子４０の座面４２ａの高さが低い場合には、第１ステップ５１を省略することができる。また、第２ステップ５２を省略することもできる。
・各ステップ５１，５２，５３の足掛け面５７ａ，５８ａ，５９ａの大きさ及び形状は、適宜変更することができる。例えば、足掛け面を、使用者Ｐの両足を掛けることのできる大きさにしてもよい。
【００３６】
・ベース２０は、地面Ｇに載置されるものに限られない。例えば、図４に示すように、ベース１２０は、平板状をなし、地面Ｇに埋設されるものであってもよい。この場合、テーブル３０の第１凹部３３がベース１２０の周囲に植えられた樹木ＧＴを逃がすように家具１１０と樹木ＧＴとの位置関係を設定すればよい。またこの場合、ベース１２０の周縁に、樹木ＧＴを逃がす凹部１２３を設けることがベース１２０の体格を小さくする上で好ましい。また、同図に示すように、テーブル３０の支柱の本数は任意に変更することができる。
【００３７】
・テーブル３０の支柱３１から椅子の支軸を延在させるようにしてもよい。すなわち、椅子が連結部２３に対して間接的に固定される構成であってもよい。
・図５に示すように、家具２１０は、四角板状のテーブル２３０と、テーブル２３０に対して固定される椅子２４０と、ワイヤー２６１を介してテーブル２３０を吊り下げる支持部材２６０とを有している。
【００３８】
支持部材２６０は、一対の四角環状部材が側面視Ｘ字状に連結されてなる。
テーブル２３０は、幅方向Ｗに貫通した貫通部２３１を有している。貫通部２３１内には、枠部材２３２が設けられている。枠部材２３２の各角部には、テーブル２３０よりも外側へ突出した４つの第１連結部材２３３が連結されている。各第１連結部材２３３の端部にはワイヤー２６１の一端部２６１ａが固定される固定部２３４が設けられている。ワイヤー２６１の他端部２６１ｂは、支持部材２６０の上部に固定される。このことにより、テーブル２３０が支持部材２６０に対して固定されている。
【００３９】
椅子２４０は、枠部材２３２に連結された第２連結部材２３５に固定されている。このことにより、椅子２４０がテーブル２３０に対して固定されている。各椅子２４０の座部２４２には、下側へ延在する一対のステップ２４３が設けられている。ステップ２４３は、使用者Ｐの椅子２４０への着座を補助するとともに、当該椅子２４０に着座した使用者Ｐが足を置く足置き面としても機能する。
【００４０】
図６（ａ）及び（ｂ）に示すように、こうした家具２１０において、使用者Ｐが着座状態で重心を移動することにより、テーブル２３０及び椅子２４０は、支持部材２６０に固定されたワイヤー２６１の端部２６１ｂを支点として揺動する。
【００４１】
なお、ワイヤー２６１の端部２６１ｂを屋内の天井に固定することもできる。
【符号の説明】
【００４２】
１０，１１０…家具、２０，１２０…ベース、２１…ベース本体、２２…支持突部、２３…連結部、２４…脚部、３０…テーブル、３１…支柱、３２…天板、３３…第１凹部、３４…第２凹部、４０…椅子、４１…支軸、４２…座部、４２ａ…座面、５０…ステップ、５１…第１ステップ、５２…第２ステップ、５３…第３ステップ、５４，５５，５６…支軸、５７，５８，５９…板部、５７ａ，５８ａ，５９ａ…足掛け面、１２３…凹部，２１０…家具、２３１…貫通部、２３２…枠部材、２３３…第１連結部材、２３４…固定部、２３５…第２連結部材、２４０…椅子、２４２…座部、２４３…ステップ、２６０…支持部材、２６１…ワイヤー、２６１ａ，２６１ｂ…端部。
【図１】
0003220727.tif 000003
【図２】
0003220727.tif 000004
【図３】
0003220727.tif 000005
【図４】
0003220727.tif 000006
【図５】
0003220727.tif 000007
【図６】
0003220727.tif 000008